(57)【要約】  外ねじ付き骨内人工歯根は、歯根本体の構造及び橋脚歯／ヘッド部を含み、ヘッド部と本体部との間に、ヘッド部から下向き且つ外向きに延びる傾斜肩部も含む。
2008504882.tif 000002
【特許請求の範囲】
【請求項１】
外ねじ付き骨内人工歯根であって、
その近位端に先細のヘッド部を含み、該ヘッド部は、傾斜した肩部に向かって下向きに先細り、前記肩部は、前記肩部から外ねじ付き本体部に下向き且つ外向きに先細る骨内人工歯根。
【請求項２】
前記先細のヘッド部は、歯根配置工具と係合するよう構成された少なくとも１つの平坦地域を含む、請求項１に記載の骨内人工歯根。
【請求項３】
前記先細のヘッド部は、歯根配置工具と係合するよう構成された少なくとも１つの垂直な溝を含む、請求項１に記載の骨内人工歯根。
【請求項４】
前記本体部は直線であるか或いは先細であり、外側の単一リード又は複数リードねじを含む、請求項１又は２に記載の骨内人工歯根。
【請求項５】
前記傾斜した肩部は、遠位に位置付けられた円筒形状部分、遠位に位置付けられた下向き且つ内向きに傾斜された部分、又は、下向き且つ外向きに傾斜された部分を含む、請求項１又は２に記載の骨内人工歯根。
【請求項６】
前記傾斜したヘッド部は、前記歯根、内ねじ、又は、それらの双方の頂部から遠位に延びる内部レンチ係合表面を含む内部通路を含む、請求項１、２、又は、３に記載の骨内人工歯根。
【請求項７】
前記内部通路は、少なくとも部分的にねじ付きである、請求項６に記載の骨内人工歯根。
【請求項８】
前記歯根の外側表面上に、前記歯根の頂部より下に１つ又はそれよりも多くの内向きに延びる圧痕をさらに含み、該１つ又はそれよりも多くの圧痕は、前記歯根の上に適合する移転キャップの上の突起と係合するのに適したサイズ及び形状を有する、請求項４に記載の骨内人工歯根。
【発明の詳細な説明】
【技術分野】
【０００１】
本発明は、骨内人工歯根に関し、具体的には、骨内人工歯根の構造と橋脚歯とを組み合わせた外ねじ付き骨内人工歯根に関する。
【背景技術】
【０００２】
これらの骨内人工歯根はテーパ付き或いはテーパなしであり得る本体部を含み、人工歯根の全て又は一部の上に複数の別個の外リードねじ又は単一の外ねじを含み得る。この歯根の本体部は、約６〜約１８ｍｍの範囲の長さ、約２〜約７ｍｍの範囲の直径を有し得るし、全体的に或いは部分的に、ブラスト処理又はエッチング処理によって粗面化された、水酸燐灰石で被覆された、或いは、これらの表面処理の任意の組み合わせで機械加工された表面を有し得る。歯根は如何なる所望のねじ設計／ピッチをも有し得るし、遠位端の付近に切断溝又は歯尖通気孔を含み得る。
【０００３】
これらの歯根の近位端は、橋脚歯として機能する先細ヘッドを含む。この先細ヘッドは、その外表面に１つ又はそれよりも多くの平坦地域又は部分溝を含み得る切頭錐体を含み得る。歯根の本体部と先細ヘッド部との間には、先細ヘッド部から約４〜約１０ｍｍの範囲の高さを有し得る円周面に下向き且つ外向きに傾斜する傾斜肩部がある。一部の実施態様において、肩部はこの円周面から歯根の本体部に下向き且つ内向きに傾斜する。他の実施態様において、肩部は下向き且つ外向きに先細になり得るし、或いは、実質的に円筒形の表面を形成するよう下向きに延在し得る。下向き且つ内向き先細る部分は傾斜され得るし、且つ／或いは、約５〜約４５度の範囲にある傾斜を有し得る。下向き且つ外向きに先細る部分は傾斜され得るし、且つ／或いは、約５〜約４５度の範囲にある傾斜を有し得る。下向きに延在する円筒形の部分は、約０．５〜約４ｍｍの長さであり得る。傾斜付き肩部は、約０．２５〜約３ｍｍの範囲にある全長を有し得る。傾斜付き肩部の近位部分の角傾斜は、約１０〜約６０度である。
【０００４】
肩部は患者の口内の橋脚歯を準備する必要を最小限化し、歯冠縁を取付け且つ封止するための仕上線を形成する。肩部は審美的な陶材復元のための十分な空間も提供する。肩部は患者口内にある軟組織下の縁の審美的な配置も促進する。
【０００５】
これらの歯根は、ヘッド部の外表面に、内向きに突出する溝／ノッチ／圧痕も含む。双方のそのような構造及びそのような構造に嵌合する移転キャップを記載する２００３年１２月１９日に出願された「非円形の傾斜付き歯根／橋脚歯接合面を備える骨内人工歯根と共に使用するための移転キャップ及び多部分橋脚歯」と題する米国特許出願第１０／７４１，０２３号を参照。
【０００６】
これらの移転キャップは、近位端で閉塞され且つ遠位端で開放され、好ましくは円筒形プロファイルを有する中空管を含む。これらのキャップの近傍又は近接近の端部にはアンダーカット領域があり、それは１つ又はそれよりも多くの円周溝、又は、互いに離間し合う複数の開口を含み得る。これらのキャップの遠位端は、内壁面上で、開口又は開口付近に、橋脚歯のヘッド部の外表面上の内向きに突出する溝／ノッチ／圧痕に嵌合／適合する１つ又はそれよりも多くの保持突起を含む内部通路に開放している。
【０００７】
一部の実施態様において、移転キャップの内表面の壁状の保持突起は、１つ又はそれよりも多くの前記突起を含み、ヘッド部の外表面上の内向きに突出する溝／ノッチ／圧痕とサイズ及び形状が相補的である。
【０００８】
使用中、骨内人工歯根が患者の口内に配置された後、移転キャップはヘッド部の上に配置される。内部の突起又は複数の突起は、ヘッド部の外表面上で外向きに形成された溝、ノッチ、又は、他の内向きに突出する圧痕に適合し或いは嵌合する。そのように配置されるとき、移転キャップの底部は、好ましくは、傾斜肩部を含む上方露出表面上に位置する。
【発明の開示】
【発明が解決しようとする課題】
【０００９】
本発明は従来技術の問題点を解決することを目的とする。
【課題を解決するための手段】
【００１０】
図面を参照することによって、これらの一体形の外ねじ型人工歯根をより良く理解し得る。
【発明を実施するための最良の形態】
【００１１】
図１は一体形の骨内人工歯根１０の実施態様を示しており、骨内人工歯根は、外ねじ部１１と、本体部１１の上にある傾斜付き肩部１２とを含む。肩部１２の上には先細ヘッド部１３があり、それは統合された橋脚歯として働く。本体部１１は、外ねじ１４と、歯尖切断ねじ１５とを含む。肩部１２は、下向き且つ外向きの傾斜部１６と、外側縁部１７と、下向き且つ内向きの傾斜部１８とを含む。先細ヘッド部１３は、歯根１０の近位端に平坦表面２０を有する切頭円錐形の錐体を形成している。ヘッド部１３は、患者の口内における歯根の配置を促進するよう歯根配置工具を係合するための１つ又はそれよりも多くの平坦表面１９を含む。
【００１２】
図１Ａは、図１の代替的な実施態様を示しており、ここでは、一体形の骨内人工歯根１０Ａは、外ねじ付き本体部１１Ａと、本体部１１Ａの上にある肩部１２とを含む。肩部１２Ａの上には先細ヘッド１３Ａがあり、それは統合された橋脚歯として働く。本体部１１Ａは、外ねじ１４Ａと、歯尖切断ねじ１５Ａとを含む。肩部１２Ａは、下向き且つ外向きの傾斜部１８Ａと、外側縁部１７Ａと、円周の非先細部１６Ａとを含む。部分１８Ａの上には先細ヘッド部１３Ａがあり、歯根１０Ａの近位端に平坦表面２０Ａを有する切頭円錐形の錐体を形成している。ヘッド部１３Ａは、患者の口内における歯根の配置を促進するよう歯根配置工具と係合するための１つ又はそれよりも多くの平坦表面１９Ａを含む。
【００１３】
図１Ｂは、次図１の他の代替的な実施態様を示しており、ここでは、一体形の骨内人工歯根１０Ｂは、外ねじ本体部１１Ｂと、本体部１１Ｂの上にある肩部１２Ｂとを含む。肩部１２Ｂの上には先細ヘッド部１３Ｂがあり、それは橋脚歯として働く。本体部１１Ｂは、外ねじ１４Ｂと、歯尖切断ねじ１５Ｂとを含む。肩部１２Ｂは、外側縁部１７Ｂで接合された２つの相異なる外向き先細領域を有する下向き且つ外向きの傾斜部１８Ｂを含む。部分１８Ｂの上には先細ヘッド部１３Ｂがあり、歯根１０Ｂの近位端に平坦表面２０Ｂを有する切頭円錐形の錐体を形成している。ヘッド部１３Ｂは、患者の口内における歯根の配置を促進するよう歯根配置工具と係合するための１つ又はそれよりも多くの平坦表面１９Ｂを含む。
【００１４】
図２は、一体形の骨内人工歯根２１の実施態様を示しており、骨内人工歯根は、外ねじ付き本体部３１と、本体部３１の上の肩部２２とを含む。肩部２２の上には先細ヘッド部２３があり、それは統合された橋脚歯として働く。本体部３１は、外ねじ２４と、歯尖切断ねじ２５とを含む。肩部２２は、下向き且つ外向きの傾斜部２６と、外側縁部２７と、下向き且つ内向きの傾斜部２８とを含む。部分２８の上にはヘッド部２３があり、歯根２１の近位端に平坦表面２９を有する切頭円錐形の錐体を形成している。ヘッド部２３は、患者の口内における歯根２１の配置を促進するよう歯根配置工具と係合するための１つ又はそれよりも多くの平坦表面２８０を含む。表面２９は、内ねじ付き通路／シャフト２９Ｂへの開口２９Ａを含む。この通路内のねじは、開口２９Ａ又はその近傍で開始し、遠位に延び、歯根２１内部で終了する。
【００１５】
図２Ａは、図２の代替的な実施態様を示しており、ここでは、一体形の骨内人工歯根２１Ａは、外ねじ付き本体部３１Ａと、本体部３１Ａの上にある肩部２２Ａとを含む。肩部２２Ａの上には先細ヘッド部２３Ａがあり、それは統合された橋脚歯として働く。本体部１３Ａは、外ねじ２４Ａと、歯尖切断ねじ２５Ａとを含む。肩部２２Ａは、下向き且つ外向きの傾斜部２８Ａと、外側縁部２７Ａと、円周の非先細部２６Ａとを含む。部分２２Ａの上には先細ヘッド部２３Ａがあり、歯根２１Ａの近位端に平坦表面２９Ｃを有する切頭円錐形の錐体を形成している。ヘッド部２３Ａは、患者の口内における歯根の配置を促進するよう歯根配置工具と係合するための１つ又はそれよりも多くの平坦表面２８０Ａを含む。表面２９Ｃは、内ねじ付き通路／シャフト２９Ｅへの開口２９Ｄを含む。通路２９Ｅ内のねじは、開口２９Ｄ又はその近傍で開始し、遠位に延び、歯根２１Ａの内部で終了する。
【００１６】
図２Ｂは、図２の他の代替的な実施態様を示しており、ここでは、一体形の骨内人工歯根３１Ｂは、外ねじ付き本体部３１Ｃと、本体部３１Ｃの上の肩部２２Ｂとを含む。肩部２２Ｂの上には先細ヘッド部２３Ｂがあり、それは統合された橋脚歯として働く。本体部３１Ｃは、外ねじ２４Ｂと、歯尖切断ねじ２５Ｂとを含む。肩部２２Ｂは、外側縁部２７Ｂで互いに接合された２つの相異なる外向きの先細領域を有する下向き且つ外向きの傾斜部２８Ｂを含む。分部２２Ｂの上には先細ヘッド部２３Ｂがあり、歯根３１Ｂの近位端に平坦表面２９Ｂを有する切頭円錐形の錐体を形成している。ヘッド部２３Ｂは、患者の口内における歯根の配置を促進するよう歯根配置工具と係合するための１つ又はそれよりも多くの平坦表面２８０Ｂを含む。表面２９は、内ねじ付き通路／シャフト２９Ｇへの開口２９Ｆを含む。通路２９Ｇ内のねじは、開口２９Ｆ又はその付近で開始し、遠位に延び、歯根３１Ｂの内部で終了する。
【００１７】
図３は、外ねじ付き本体部５０と、本体部５０の上にある肩部３２とを含む一体形の骨内人工歯根３０の実施態様を示している。肩部３２の上には先細ヘッド部３３があり、それは統合された橋脚歯として働く。本体部５０は、外ねじ３５と、歯尖切断ねじ３４とを含む。肩部３２は、下向き且つ外向きに傾斜する傾斜部３６と、外側縁部３７と、下向き且つ内向きの先細部３８とを含む。肩部３２の上にはヘッド部３３があり、歯根３０の近位端に平坦表面４４を有する切頭円錐形の錐体を形成している。ヘッド部３３は、患者の口内における歯根の配置を促進するよう歯根配置工具と係合するための１つ又はそれよりも多くの平坦表面４０を含む。
【００１８】
図３の歯根は、ヘッド部３８内に、通路４２内に内部レンチ係合表面４２を含む内部通路４２を含む。通路４２は、頂部平坦面４４から延び、歯根の内側で、歯根３０内で終端している。
【００１９】
図３Ａは、図３の歯根の代替的な実施態様を示しており、ここでは、一体形の骨内人工歯根５０Ａは、外ねじ付き本体部３０Ａと、本体部３０Ａの上の肩部３２Ａとを含む。肩部３２Ａの上には先細ヘッド部３３Ａがあり、それは統合された橋脚歯として働く。本体部３０Ａは、外ねじ３５Ａと、歯尖切断ねじ３４Ａとを含む。肩部３２Ａは、下向き且つ外向き傾斜した傾斜部３５Ａと、外側縁部３７Ａと、円周の非先細部３６Ａとを含む。部分３０Ａの上にはヘッド部３３Ａがあり、歯根５０Ａの近位端に平坦表面４４Ａを有する切頭円錐形の錐体を形成している。ヘッド部３３Ａは、患者の口内における歯根の配置を促進するよう歯根配置工具と係合するための１つ又はそれよりも多くの平坦表面４０Ａを含む。
【００２０】
図３Ａの歯根は、ヘッド部３３Ａ内に、通路４２Ａ内部に内部レンチ係合表面４３Ａを含む内部通路４２Ａも含む。通路４２Ａは頂部平坦表面４４Ａから延び、歯根の内側で、歯根３０Ａ内で終端している。
【００２１】
図３Ｂは、図３の歯根の他の代替的な実施態様を示しており、ここでは、一体形の骨内人工歯根５０Ｂは、外ねじ付き本体部３０Ｂと、本体部３０Ｂの上の肩部３２Ｂとを含む。肩部３２Ｂの上には先細ヘッド部３３Ｂがあり、それは統合された橋脚歯として働く。本体部５０Ｂは、外ねじ３５Ｂと、歯尖切断ねじ３４Ｂとを含む。肩部３２Ｂは、外側縁部３７Ｂで互いに接合された２つの相異なる外向きの傾斜部を備える下向き且つ外向きに傾斜した傾斜部３５Ｂを含む。部分３２Ｂの上にはヘッド部３３Ｂがあり、歯根５０Ｂの近位端に平坦表面４４Ｂを有する切頭円錐形の錐体を形成している。ヘッド部３３Ｂは、患者の口内における歯根の配置を促進するよう歯根配置工具と係合するための１つ又はそれよりも多くの平坦表面４０Ｂを含む。
【００２２】
図３の歯根は、ヘッド部３８内に、内部通路４２Ｂ内に内部レンチ係合表面４３Ｂを含む内部通路４２Ｂも含む。通路４２Ｂは、頂部平坦表面４４Ｂから延び、歯根の内側で、歯根５０Ｂ内で終端している。
【００２３】
図４は、外ねじ付き本体部６１と、本体部６１の上にある肩部６２とを含む一体形の骨内人工歯根６０の実施態様を示している。肩部６２の上には先細ヘッド部６３があり、統合された橋脚歯として働く。本体部６１は、外ねじ６４と、歯尖切断ねじ６５とを含む。肩部６２は、下向き且つ外向きに傾斜された傾斜部６６と、外側縁部６７と、下向き且つ内向きの先細部６８とを含む。肩部６２の上にはヘッド部６３があり、歯根６０の近位端に平坦表面６９を有する切頭円錐形の錐体を形成している。ヘッド部６２は、患者の口内における歯根の配置を促進するよう歯根配置工具と係合するための１つ又はそれよりも多くの平坦表面７０を含む。
【００２４】
図４の歯根は、ヘッド部６３内に、通路７１内部に内部レンチ係合表面７２とねじ付き領域７３とを含む内部通路７１も含む。通路７１は、頂部平坦表面６９から延び、歯根の内側で、歯根６０内で終端している。
【００２５】
図４Ａは、図４の歯根の代替的な実施態様を示しており、ここでは、一体形の骨内人工歯根６１Ａは、外ねじ付き本体部６１Ａと、本体部の上にある肩部６２Ａとを含む。肩部６２Ａの上には先細ヘッド部６３Ａがあり、それは統合された橋脚歯として働く。本体部６１Ａは、外ねじ６４３５Ａと、歯尖切断ねじ６５Ａとを含む。肩部６２Ａは、下向き且つ外向きに傾斜された傾斜部７４Ａと、外側縁部７５と、円周の非先細部７６とを含む。部分６１Ａの上にはヘッド部６３Ａがあり、歯根６０Ａの近位端に平坦表面６９Ａを有する切頭円錐形の錐体を形成している。ヘッド部６３Ａは、患者の口内における歯根の配置を促進するよう歯根配置工具と係合するための１つ又はそれよりも多くの平坦表面７０Ａを含む。
【００２６】
図４Ａの歯根は、ヘッド部６３Ａ内に、通路７２Ａ内に内部レンチ係合表面７１Ａとねじ付き領域７３Ａとを含む内部通路７２Ａも含む。通路７２Ａは、頂部平坦表面６９Ａから延び、歯根の内側で、歯根６０Ａ内で終端している。
【００２７】
図４Ｂは、図４の歯根の他の代替的な実施態様を示しており、ここでは、一体形の骨内人工歯根６０Ｂは、外ねじ付き本体部６１Ｂと、本体部６１Ｂの上にある肩部６２Ｂとを含む。肩部６２Ｂの上にあるのは先細ヘッド部６３Ｂであり、それは統合された橋脚歯として働く。本体部６１Ｂは、外ねじ６４Ｂと、歯尖切断ねじ６５Ｂとを含む。肩部６２Ｂは、外側縁部８０で互いに接合された２つの相異なる外向き傾斜部を備える下向き且つ外向きに傾斜された傾斜部７７を含む。ヘッド部６３Ｂは、歯根６３Ｂの近位端に平坦表面６９Ｂを有する切頭円錐形の錐体を形成している。ヘッド部６３Ｂは、患者の口内における歯根の配置を促進するよう歯根配置工具と係合するための１つ又はそれよりも多くの平坦表面７０Ｄを含む。
【００２８】
図４Ｂのヘッドは、ヘッド部６３Ｂ内に、通路７２Ｂ内に内部レンチ係合表面７１Ｂとねじ付き領域７３Ｂとを含む内部通路７２Ｂも含む。通路６３Ｂは、頂部平坦表面６９Ｂから延び、歯根の内側で、歯根内で終端している。
【００２９】
図１、１Ａ、２、２Ａ、２Ｂ、３、３Ａ、３Ｂ、４、４Ａ、及び、４Ｂは、歯根のヘッド部の上に配置された移転キャップ(transfer  cap)１５２，１５２Ａ，１５２Ｂ，１５２Ｃを示している。これらの移転キャップ１５２，１５２Ａ，１５２Ｂ，１５２Ｃは、直円筒形本体部１５７，１５７Ａ，１５７Ｂ，１５７Ｃを有し、閉塞された平坦な近位端１５５，１５５Ａ，１５５Ｂ，１５５Ｃと、上方の外部保持構造１５６，１５６Ａ，１５６Ｂ，１５６Ｃを含む。保持機構１５６，１５６Ａ，１５６Ｂ，１５６Ｃは、頂部表面１５５，１５５Ａ，１５５Ｂ，１５５Ｃの真下に形成された円周溝である。移転キャップ１５２，１５２Ａ，１５２Ｂ，１５２Ｃは、端部１５４，１５４Ａ，１５４Ｂ，１５４Ｃで開放である。内部移転キャップ１５２，１５２Ａ，１５２Ｂ，１５２Ｃは中空通路である。
【００３０】
移転キャップ１５２，１５２Ａ，１５２Ｂ，１５２Ｃは、開口１５４，１５４Ａ，１５４Ｂ，１５４Ｃの周りの遠位表面が歯根の上方表面上に位置するときに歯根のヘッド部の上に適合するのに十分な長さ及び直径である。移転キャップ１５２，１５２Ａ，１５２Ｂ，１５２Ｃ上に、開口１５４，１５４Ａ，１５４Ｂ，１５４Ｃ又はその付近に、複数の突起又は突出部１５３がある。これらの突出部は、歯根上の内向き突起１５０のような内向き突起と相補的なサイズ及び形状である。
【図面の簡単な説明】
【００３１】
【図１】外ねじ付き本体部、その遠位端付近の切断溝と、遠位に位置付けられた内向きに先細い部分を備える、本体部の上にある、下向き且つ外向きに傾斜した傾斜肩部と、１つ又はそれよりも多くの平坦地域を含む傾斜ヘッド部とを含む、１つのそのような歯根の実施態様を示す正面図である。
【図１Ａ】外ねじ付き本体部、その遠位端付近の切断溝と、遠位に位置付けられた直線円筒形部分を備える、本体部の上にある、下向き且つ外向きに傾斜した傾斜肩部と、１つ又はそれよりも多くの平坦地域を含む傾斜ヘッド部とを含む、図１の歯根の代替的な実施態様を示す平面図である。
【図１Ｂ】外ねじ付き本体部、その遠位端付近の切断溝と、連続的な遠位に位置付けられた傾斜部分を備え、２つの相異なる部分を備える、本体部の上にある、下向き且つ外向きに傾斜した傾斜肩部と、１つ又はそれよりも多くの平坦地域を含む傾斜ヘッド部とを含む、図１の歯根の他の代替的な実施態様を示す平面図である。
【図２】外ねじ付き本体部、その遠位端付近の切断溝と、遠位に位置付けられた内向きに先細い部分を備える、本体部の上にある、下向き且つ外向きに傾斜した傾斜肩部と、１つ又はそれよりも多くの平坦地域を含む傾斜ヘッド部と、歯根の近位端から内ねじ通路内への開口とを含み、ねじは開口又はその下方で開始し、内部に継続し、歯根内で終端する、他のそのような歯根を示す斜視図である。
【図２Ａ】外ねじ付き本体部、その遠位端付近の切断溝と、遠位に位置付けられた直線円筒形部分を備える、本体部の上にある、下向き且つ外向きに傾斜した傾斜肩部と、１つ又はそれよりも多くの平坦地域を含む傾斜ヘッド部と、歯根の近位端から内ねじ通路内への開口とを含み、ねじは開口又はその下方で開始し、内部に継続し、歯根内で終端する、図２の歯根の代替的な実施態様を示す斜視図である。
【図２Ｂ】外ねじ付き本体部、その遠位端付近の切断溝と、２つの相異なる部分を備える、本体部の上にある、下向き且つ外向きに傾斜した傾斜肩部と、１つ又はそれよりも多くの平坦地域を含む傾斜ヘッド部と、歯根の近位端から内ねじ通路内への開口とを含み、ねじは開口又はその下方で開始し、内部に継続し、歯根内で終端する、図２の歯根の代替的な実施態様を示す斜視図である。
【図３】外ねじ付き本体部、その遠位端付近の切断溝と、遠位に位置付けられた内向きに先細い部分を備える、本体部の上にある、下向き且つ外向きに傾斜した傾斜肩部と、１つ又はそれよりも多くの平坦地域を含む傾斜ヘッド部と、歯根の近位端からレンチ係合表面を含む内部通路内への開口とを含む、他のそのような歯根の実施態様を示す斜視図である。
【図３Ａ】外ねじ付き本体部、その遠位端付近の切断溝と、遠位に位置付けられた直線円筒形部分を備える、本体部の上にある、下向き且つ外向きに傾斜した傾斜肩部と、１つ又はそれよりも多くの平坦地域を含む傾斜ヘッド部と、歯根の近位端から、レンチ係合表面を含む内部通路内への開口とを含む、図３の歯根の代替的な実施態様を示す斜視図である。
【図３Ｂ】外ねじ付き本体部、その遠位端付近の切断溝と、２つの相異なる部分を備える、本体部の上にある、下向き且つ外向きに傾斜した傾斜肩部と、１つ又はそれよりも多くの平坦地域を含む傾斜ヘッド部と、歯根の近位端からレンチ係合表面を含む内部通路内への開口とを含む、図３の歯根の他の代替的な実施態様を示す斜視図である。
【図４】外ねじ付き本体部、その遠位端付近の切断溝と、遠位に位置付けられた内向きに先細い部分を備える、本体部の上にある、下向き且つ外向きに傾斜した傾斜肩部と、１つ又はそれよりも多くの平坦地域を含む傾斜ヘッド部と、歯根の近位端からレンチ係合表面とねじ付き領域とを含む内ねじ付き通路内への開口を含み、ねじは開口又はその下方で開始し、内側に継続し、歯根内で終端する、そのような歯根の実施態様を示す斜視図である。
【図４Ａ】外ねじ付き本体部、その遠位端付近の切断溝と、遠位に位置付けられた直線円筒形部分を備える、本体部の上にある、下向き且つ外向きに傾斜した傾斜肩部と、１つ又はそれよりも多くの平坦地域を含む傾斜ヘッド部と、歯根の近位端からレンチ係合表面とねじ付き領域とを含む内ねじ付き通路内への開口を含み、ねじは開口又はその下方で開始し、内側に継続し、歯根内で終端する、図４の歯根の代替的な実施態様を示す斜視図である。
【図４Ｂ】外ねじ付き本体部、その遠位端付近の切断溝と、２つの相異なる部分を備える、本体部の上にある、下向き且つ外向きに傾斜した傾斜肩部と、１つ又はそれよりも多くの平坦地域を含む傾斜ヘッド部と、歯根の近位端からレンチ係合表面とねじ付き領域とを含む内ねじ付き通路内への開口を含み、ねじは開口又はその下方で開始し、内側に継続し、歯根内で終端する、図４の他の実施態様を示す斜視図である。
【図１】
2008504882.tif 000003
【図１Ａ】
2008504882.tif 000004
【図１Ｂ】
2008504882.tif 000005
【図２】
2008504882.tif 000006
【図２Ａ】
2008504882.tif 000007
【図２Ｂ】
2008504882.tif 000008
【図３】
2008504882.tif 000009
【図３Ａ】
2008504882.tif 000010
【図３Ｂ】
2008504882.tif 000011
【図４】
2008504882.tif 000012
【図４Ａ】
2008504882.tif 000013
【図４Ｂ】
2008504882.tif 000014
【国際調査報告】
2008504882.tif 000015